(57)【要約】【課題】本発明は情報処理端末機が出力するインターフェイスの電力（例えばＵＳＢ規格の５Ｖ）で従前屋外使用が不可であった外部記憶装置を、商用電源が存在しない屋外で使用可能とする補助電源装置を提供する。【解決手段】パソコン等の情報処理端末機１の外部記憶装置接続用インターフェイス４に第１電力兼信号ケーブル５を介して接続される電力入力兼信号入出力用インターフェイス６を備え、又補助電源装置３内にバッテリー１８と、電力入力兼信号入出力用インターフェイス６を介して供給された電力をバッテリー１８に充電する充電回路７と、充電された電力の電圧又は／及び電流を変換する変換回路８とを内蔵し、更に外部記憶装置２の情報処理端末機接続用インターフェイス９に第２電力兼信号ケーブル１０を介して接続される変換電力出力兼信号入出力用インターフェイス１１を備え、変換回路８から出力された変換電力を外部記憶装置２に供給し稼働せしめる。【選択図】        図１
2004199385.tif 000002
【特許請求の範囲】
【請求項１】
パソコン等の情報処理端末機と同端末機に情報を付与する外部記憶装置間に介在される外部記憶装置の補助電源装置であって、上記情報処理端末機が具備する外部記憶装置接続用インターフェイスから出力される電力を電源とし、該電力とは異なる稼働電圧又は／及び稼働電流で外部記憶装置を稼働するための外部記憶装置の補助電源装置であり；
上記情報処理端末機が具備する外部記憶装置接続用インターフェイスに第１電力兼信号ケーブルを介して接続される電力入力兼信号入出力用インターフェイスを備え；
バッテリーと、上記電力入力兼信号入出力用インターフェイスを介して供給された上記電力を上記バッテリーに充電する充電回路と、該充電された電力の電圧又は／及び電流を変換する変換回路とを内蔵し；
更に上記外部記憶装置が具備する情報処理端末機接続用インターフェイスに第２電力兼信号ケーブルを介して接続される変換電力出力兼信号入出力用インターフェイスを備え；
上記変換回路から出力された変換電力を上記変換電力出力兼信号入出力用インターフェイスと第２電力兼信号ケーブルと情報処理端末機接続用インターフェイスとを介して外部記憶装置に供給し、該変換電力で外部記憶装置を稼働せしめる構成とした；
ことを特徴とする外部記憶装置の補助電源装置。
【請求項２】
上記補助電源装置に上記変換電力出力兼信号入出力用インターフェイスの電力端子と接続された変換電力出力用コネクタを併備し、該補助電源装置の変換電力出力用コネクタと、上記外部記憶装置の電源コネクタとを電源ケーブルを介して接続すると共に、上記補助電源装置の変換電力出力兼信号入出力用インターフェイスの信号端子と、上記外部記憶装置の情報処理端末機接続用インターフェイスの信号端子とを上記第２電力兼信号ケーブルによって接続する構成とした；
ことを特徴とする請求項１記載の外部記憶装置の補助電源装置。
【請求項３】
情報処理端末機が具備する外部記憶装置接続用インターフェイスと外部記憶装置が具備する情報処理端末機接続用インターフェイス間を電力兼信号ケーブルを介して接続し、外部記憶装置から情報処理端末機に情報を付与する場合に使用する外部記憶装置の補助電源装置であって、上記外部記憶装置接続用インターフェイスから出力される電力を電源とし、該電力とは異なる稼働電圧又は／及び稼働電流で上記外部記憶装置を稼働するための補助電源装置であり；
バッテリーと、上記情報処理端末機接続用インターフェイスを介し供給された上記電力を上記バッテリーに充電する充電回路と、該充電された電力の電圧又は／及び電流を変換する変換回路とから成る補助電源装置を形成し、該補助電源装置を上記外部記憶装置に内蔵して、上記変換回路から出力された変換電力で外部記憶装置を稼働せしめる構成とした；
ことを特徴とする補助電源装置内蔵外部記憶装置。
【発明の詳細な説明】
【０００１】
【発明の属する技術分野】
本発明はパソコンに代表される情報処理端末機に情報を付与する外部記憶装置の補助電源装置に関する。
【０００２】
【従来の技術】
ここに情報処理端末機とはパソコンの他、ＰＤＡ（パーソナルデジタルアシスタント）、携帯電話等であり、他方外部記憶装置とはＦＤドライブ、ＨＤドライブ、ＣＤ−ＲＯＭドライブ、ＤＶＤ−ＲＯＭドライブ、ＭＯドライブ等を意味し、通常では外部記憶装置をＡＣアダプタと電力ケーブルを介し商用電源に接続すると共に、上記情報処理端末機のインターフェイスと外部記憶装置のインターフェイス間を信号ケーブルで接続し、信号（情報）の入出力を行う使用形態が採られる。
【０００３】
然しながら外部記憶装置は商用電源が存在しない場所での使用の機会が多く、これに対処するため、上記情報処理端末機のインターフェイスと外部記憶装置のインターフェイス間を電力兼信号ケーブルで接続し、情報処理端末機のインターフェイスから出力される電力（例えばＵＳＢ規格では５Ｖ、５００ｍＡ）で外部記憶装置を稼働しつつ、外部記憶装置と情報処理端末機間において信号（情報）の入出力を行う方法が採られているが、現様の情報処理端末機におけるインターフェイスの５Ｖで稼働できる外部記憶装置は極めて限定されている。
【０００４】
現状ではＦＤドライブと、２．５インチＨＤドライブと、薄形のＣＤ−ＲＯＭドライブと、ＭＯドライブに限定されており、例えばＤＶＤ−ＲＯＭドライブは全く使用できず、ＨＤドライブの主流である３．５インチＨＤドライブも商用電源無しには使用できない実状にある。
【０００５】
更には外部記憶装置として主力商品になりつつある、ＣＤ−Ｒ／ＲＷドライブと、ＤＶＤ−Ｒ／ＲＷドライブにおいては商用電源が存在しない場所で使用可能とする手段が存在しない。
【０００６】
再述すると、情報処理端末機のインターフェイスと外部記憶装置のインターフェイスを電力兼信号ケーブルで接続し、情報処理端末機が出力するインターフェイスの電力（例えばＵＳＢ規格の５Ｖ）で、上記ＤＶＤ−ＲＯＭドライブ、３．５インチＨＤドライブ、ＣＤ−Ｒ／ＲＷドライブ、ＤＶＤ−Ｒ／ＲＷドライブを屋外で使用可能とする手段が全く提供されていない。
【０００７】
【発明が解決しようとする課題】
本発明は、情報処理端末機のインターフェイスと外部記憶装置のインターフェイスを電力兼信号ケーブルで接続し、情報処理端末機が出力するインターフェイスの電力（例えばＵＳＢ規格の５Ｖ）で、上記ＤＶＤ−ＲＯＭドライブ、３．５インチＨＤドライブ、ＣＤ−Ｒ／ＲＷドライブ、ＤＶＤ−Ｒ／ＲＷドライブを、商用電源が存在しない屋外で使用可能とする手段を提供するものである。
【０００８】
【課題を解決するための手段】
本発明は上記目的を達成する手段として、パソコン等の情報処理端末機と同端末機に情報を付与する外部記憶装置間に介在される外部記憶装置の補助電源装置であって、上記情報処理端末機が具備する外部記憶装置接続用インターフェイスから出力される電力を電源とし、該電力とは異なる稼働電圧又は／及び稼働電流で外部記憶装置を稼働するための補助電源装置を提供するものである。
【０００９】
上記補助電源装置は上記情報処理端末機が具備する外部記憶装置接続用インターフェイスに第１電力兼信号ケーブルを介して接続される電力入力兼信号入出力用インターフェイスを備える。
【００１０】
又補助電源装置内にバッテリーを内蔵すると共に、該電力入力兼信号入出力用インターフェイスを介して供給された上記電力を上記バッテリーに充電する充電回路と、該充電された電力の電圧又は／及び電流を変換する変換回路とを内蔵する。
【００１１】
更に補助電源装置は上記外部記憶装置が具備する情報処理端末機接続用インターフェイスに第２電力兼信号ケーブルを介して接続される変換電力出力兼信号入出力用インターフェイスを備え、上記変換回路から出力された変換電力を上記変換電力出力兼信号入出力用インターフェイスと第２電力兼信号ケーブルと情報処理端末機接続用インターフェイスとを介し外部記憶装置に供給し、該変換電力で外部記憶装置を稼働せしめる構成を有する。
【００１２】
実施態様として上記補助電源装置に上記変換電力出力兼信号入出力用インターフェイスの電力端子と接続された変換電力出力用コネクタを併備せしめ、該補助電源装置の変換電力出力用コネクタと、上記外部記憶装置の電源コネクタとを電源ケーブルを介して接続すると共に、上記補助電源装置の変換電力出力兼信号入出力用インターフェイスの信号端子と、上記外部記憶装置の情報処理端末機接続用インターフェイスの信号端子とを上記第２電力兼信号ケーブルによって接続する構成とする。
【００１３】
上記補助電源装置は既存の仕様の情報処理端末機と外部記憶装置において使用できようにしたものであるが、次に述べる内蔵形補助電源装置は外部記憶装置を情報処理端末機に直接接続することにより使用可能である。
【００１４】
即ちこの外部記憶装置はバッテリーを内蔵すると共に、上記情報処理端末機接続用インターフェイスを介し供給された上記電力を上記バッテリーに充電する充電回路と、該充電された電力の電圧又は／及び電流を変換する変換回路を内蔵する。即ちバッテリーと充電回路と変換回路を含む補助電源装置を形成し、該補助電源装置を上記外部記憶装置に内蔵して、上記変換回路から出力された変換電力で外部記憶装置を稼働せしめる構成とする。
【００１５】
上記補助電源装置によれば、情報処理端末機が出力するインターフェイスの電力（例えばＵＳＢ規格の５Ｖ）で、上記ＤＶＤ−ＲＯＭドライブ、３．５インチＨＤドライブ、ＣＤ−Ｒ／ＲＷドライブ、ＤＶＤ−Ｒ／ＲＷドライブを商用電源が存在しない屋外で使用可能とし、使用者の便宜に供するものである。
【００１６】
【発明の実施の形態】
以下本発明の実施の形態を図１乃至図７に基づき説明する。
【００１７】
本発明に係る外部記憶装置の補助電源装置は図１，図６に示すように、パソコン等の情報処理端末機１と同端末機１に情報を付与する外部記憶装置２間に介在して使用される外部記憶装置２の補助電源装置３であって、上記情報処理端末機１が具備する外部記憶装置接続用インターフェイス４から出力される電力を電源とし、該電力とは異なる稼働電圧又は／及び稼働電流で外部記憶装置２を稼働するための補助電源装置３である。
【００１８】
上記補助電源装置３は上記情報処理端末機１が具備する外部記憶装置接続用インターフェイス４に第１電力兼信号ケーブル５を介して接続される電力入力兼信号入出力用インターフェイス６を備え、更にバッテリー１８を内蔵すると共に、該電力入力兼信号入出力用インターフェイス６を介して供給された上記電力を上記バッテリー１８に充電する充電回路７と、該充電された電力の電圧又は／及び電流を変換する変換回路８とを内蔵する。
【００１９】
更に上記補助電源装置３は上記外部記憶装置２が具備する情報処理端末機接続用インターフェイス９に第２電力兼信号ケーブル１０を介して接続される変換電力出力兼信号入出力用インターフェイス１１を備え、上記変換回路８から出力された変換電力を上記変換電力出力兼信号入出力用インターフェイス１１と第２電力兼信号ケーブル１０と情報処理端末機接続用インターフェイス９とを介し外部記憶装置２に供給し、該変換電力で外部記憶装置２を稼働せしめる構成を有する。
【００２０】
上記補助電源装置３は二本のケーブルを使用して既存の仕様の情報処理端末機１と外部記憶装置２間を接続して使用し、情報処理端末機１が出力するインターフェイス４の電力（例えばＵＳＢ規格の５Ｖ）で、従来、商用電源が存する屋内使用に限定されていた、上記ＤＶＤ−ＲＯＭドライブ、３．５インチＨＤドライブ、ＣＤ−Ｒ／ＲＷドライブ、ＤＶＤ−Ｒ／ＲＷドライブを、商用電源が存在しない屋外において使用可能とする。
【００２１】
実施態様として図２に示すように、上記補助電源装置３に上記変換電力出力兼信号入出力用インターフェイス１１の電力端子１２と接続された変換電力出力用コネクタ１３を併備し、該補助電源装置３の変換電力出力用コネクタ１３と、上記外部記憶装置２の電源コネクタ１４とを電源ケーブル１５を介して接続すると共に、上記補助電源装置３の変換電力出力兼信号入出力用インターフェイス１１の信号端子１６と、上記外部記憶装置２の情報処理端末機接続用インターフェイス９の信号端子１７とを上記第２電力兼信号ケーブル１０によって接続する構成とする。
【００２２】
上記補助電源装置３における変換電力出力兼信号入出力用インターフェイス１１と変換電力出力用コネクタ１３とは、外部記憶装置２の情報処理端末機接続用インターフェイス９が補助電源装置３の変換電力出力兼信号入出力用インターフェイス１１から電力を受給できない構造である場合に対処する。
【００２３】
上記補助電源装置３は既存の仕様の情報処理端末機１と外部記憶装置２において使用できようにしたものであるが、図３，図７に示すように、この補助電源装置３を外部記憶装置２に内蔵して実施することが可能である。
【００２４】
即ち、補助電源装置内蔵外部記憶装置２における補助電源装置３は前記と同様、情報処理端末機１が具備する外部記憶装置接続用インターフェイス４と外部記憶装置２が具備する情報処理端末機接続用インターフェイス９間を電力兼信号ケーブルを介して接続し、外部記憶装置２から情報処理端末機１に情報を付与する場合に使用する外部記憶装置２の補助電源装置３であって、上記外部記憶装置接続用インターフェイス４から出力される電力を電源とし、該電力とは異なる稼働電圧又は／及び稼働電流で上記外部記憶装置２を稼働するための補助電源装置３である。
【００２５】
即ちこの外部記憶装置２はバッテリー１８を内蔵すると共に、上記情報処理端末機接続用インターフェイス９を介し供給された上記電力を上記バッテリー１８に充電するバッテリー充電回路７と、該充電された電力の電圧又は／及び電流を変換する変換回路８を内蔵する。即ちバッテリー１８と充電回路７と変換回路８を含む補助電源装置３を形成し、該補助電源装置３を上記外部記憶装置２に内蔵して、上記変換回路８から出力された変換電力で外部記憶装置２を稼働せしめる構成とする。
【００２６】
上記外部記憶装置２が具備する情報処理端末機接続用インターフェイス９は、図１の実施形態の外在形補助電源装置３における電力入力兼信号入出力用インターフェイス６を兼ねる。
【００２７】
次に図１の外部記憶装置２の外在形補助電源装置３と、図３の補助電源装置３内蔵形の外部記憶装置２との共通な動作原理を図４，図５に基づいて説明する。
【００２８】
第１電力兼信号ケーブル５（図４）、又は電力兼信号ケーブル５（図５）を介して補助電源装置３の電力入力兼信号入出力用インターフェイス６（図４）、又は外部記憶装置２の情報処理端末機接続用インターフェイス９（図５）に、情報処理端末機１の外部記憶装置接続用インターフェイス４の電力が供給される。
【００２９】
上記電力はバッテリー充電回路７とバッテリー保護回路２０を介してバッテリー１８に充電される。好ましくは該バッテリー１８としてリチウムポリマバッテリーを適用する。このリチウムポリマバッテリーは図６に示すように、補助電源装置３のハウジングの底蓋内に内蔵し、該バッテリー１８のコネクタを本体に設けたコネクタと接続しつつ、該底蓋を本体に嵌着する。
【００３０】
上記バッテリー保護回路２０はバッテリー充電回路７によりバッテリー１８に過充電するのを防止し、且つ過放電するのを防止する回路である。
【００３１】
又電源監視回路２１は補助電源装置３の電力入力兼信号入出力用インターフェイス６（図４）、又は外部記憶装置２の情報処理端末機接続用インターフェイス９（図５）より電力が来ている時のみ変換回路８へ電力を供給する回路であり、電源ＯＮ・ＯＦＦスイッチを設けた場合のスイッチの切り忘れを防止し、不使用時におけるバッテリー１８の消耗を該電源監視回路２１にて防止する回路である。
【００３２】
上記バッテリー１８は充電された電力をバッテリー保護回路２０及び電源監視回路２１を介して変換回路８へ放電し、該変換回路８はバッテリー１８が放電した電力の電圧を昇圧又は降圧して、又は電流を変換して前記各種外部記憶装置２が必要とする電力を供給する回路である。
【００３３】
上記変換回路８で変換された電力は、図４の外在形補助電源装置３においては、耐圧保護回路２３を介して変換電力出力兼信号入出力用インターフェイス１１に供給され、該インターフェイス１１と第２電力兼信号ケーブル１０と情報処理端末接続用インターフェイス９を介して外部記憶装置２に供給される。
【００３４】
又図５の補助電源装置内蔵外部記憶装置においては、変換回路８で変換された電力が耐圧保護回路２３を介して外部記憶装置２の稼働電力として供給される。
【００３５】
上記耐圧保護回路２３は変換回路８から供給された電力を並列した複段のコンデンサー１９に蓄え、外部記憶装置２が供給に耐えうる電力以上の電力を一時的に要求した場合、終段のコンデンサー１９から該要求を充足する電力を外部記憶装置２に一時的に供給し、変換回路８の破損を防止する安全回路である。
【００３６】
実施態様として図４に破線で示すように、上記補助電源装置３に上記変換電力出力兼信号入出力用インターフェイス１１の電力端子１２と接続された変換電力出力用コネクタ１３を併備する。該変換電力出力用コネクタ１３は変換電力出力兼信号入出力用インターフェイス１１と並列に変換回路８に接続する。
【００３７】
よって上記補助電源装置３の変換電力出力用コネクタ１３と、上記外部記憶装置２の電源コネクタ１４とを電源ケーブル１５を介して接続すると共に、上記補助電源装置３の変換電力出力兼信号入出力用インターフェイス１１の信号端子１６と、上記外部記憶装置２の情報処理端末機接続用インターフェイス９の信号端子１７とを上記第２電力兼信号ケーブル１０によって接続して使用する。
【００３８】
上記補助電源装置３における変換電力出力兼信号入出力用インターフェイス１１と変換電力出力用コネクタ１３とは、外部記憶装置２の情報処理端末機接続用インターフェイス９が補助電源装置３の変換電力出力兼信号入出力用インターフェイス１１から電力を受給できない構造である場合に適切に対処する。
【００３９】
【発明の効果】
上記補助電源装置によれば、情報処理端末機が出力するインターフェイスの電力（例えばＵＳＢ規格の５Ｖ、５００ｍＡ）で、従来、商用電源が存在しない場所においては使用不可とされていたＤＶＤ−ＲＯＭドライブ、３．５インチＨＤドライブ、ＣＤ−Ｒ／ＲＷドライブ、ＤＶＤ−Ｒ／ＲＷドライブを、商用電源が存在しない場所で使用可能とし、使用者の便宜を図ることができる。
【図面の簡単な説明】
【図１】外在形補助電源装置の使用状態を概要を以って示す図。
【図２】上記外在形補助電源装置の他例の使用状態を概要を以って示す図。
【図３】上記補助電源装置を外部記憶装置に内蔵する場合の使用状態を概要を以って示す図。
【図４】図１，図２における外在形補助電源装置の回路の原理図。
【図５】図３における内蔵形補助電源装置の回路の原理図。
【図６】外在形補助電源装置と情報処理端末機と外部記憶装置の使用状態を、バッテリーを分解して示す斜視図。
【図７】補助電源装置内蔵外部記憶装置と情報処理端末機の使用状態を示す斜視図。
【符号の説明】
１…情報処理端末機、２…外部記憶装置、３…補助電源装置、４…外部記憶装置接続用インターフェイス、５…第１電力兼信号ケーブル、６…電力入力兼信号入出力用インターフェイス、７…バッテリー充電回路、８…変換回路、９…情報処理端末機接続用インターフェイス、１０…第２電力兼信号ケーブル、１１…変換電力出力兼信号入出力用インターフェイス、１２…電力端子、１３…変換電力出力用コネクタ、１４…電源コネクタ、１５…電源ケーブル、１６…信号端子、１７…信号端子、１８…バッテリー、１９…コンデンサー、２０…バッテリー保護回路、２１…電源監視回路、２３…耐圧保護回路
【図１】
2004199385.tif 000003
【図２】
2004199385.tif 000004
【図３】
2004199385.tif 000005
【図４】
2004199385.tif 000006
【図５】
2004199385.tif 000007
【図６】
2004199385.tif 000008
【図７】
2004199385.tif 000009